(57)【要約】【課題】  クリーニング業の経営において、最も経費率の高いのが人件費である。その上最近では燃料費の高騰も有り集荷テリトリーは一定の範囲に限定される為、業界大手は工場設備の稼働率を上げるため買収などで拡張を繰り返してきたが、業務の拡張にはクリーニング取次店数の拡張が一番手っ取り早い。しかし取次店はどうしても顧客との受発注業務に人手を必要とする為、人件費が高騰した今日、人件費の合理化は大きな課題である。【解決手段】そこで本発明は、以上の課題を解決する一つの手段として、取次店の受発注業務を全てロボット化し受発注業務を全て自動化しクリーニング依頼物の受け渡しを機械装置化し、取次店全体をユニット部品化し組み立て式にした機械化装置を提供するものである。【選択図】図１
2010218520.tif 000002
【特許請求の範囲】
【請求項１】
自治体、障害者施設、福祉施設、保育所、公民館、大学施設、大学生協などの公共的な施設や多数の住民が利用する建造物、これら施設や建造物に関してその運営費や維持費などの経費捻出の為、これら建造物や施設関係者が当該施設内用地を提供して、その用地に設置したクリーニング取次自販機若しくはクリーニング取次自販機を配置したクリーニング取次自販機店から一定の収益を得るビジネス。
【請求項２】
機器装置内にクリーニング処理済物を封入する多段型セル若しくは並列型セルを設ける事によりあらかじめ定められた記号やタグや暗証番号などの所定の操作により、自動的に単品若しくは複数個が自動的に選別排出される機構を具備した請求項１に記載のクリーニング自動取次自販機並びにクリーニング取次自販機を配置したクリーニング取次自販機店。
【請求項３】
装置本体内部に陳列された個別クリーニング処理物の陳列部分が電子的ロック等により固定化されており、外部からの所定の操作により自動的に選別開錠され自動排出される機構を具備した請求項２に記載のクリーニング取次自販機並びにクリーニング取次自販機を配置したクリーニング取次自販機店。
【請求項４】
雨水で自己洗浄を可能とする為、表面塗装を酸化チタンを含んだ塗装材仕上げによる請求項２並びに請求項３に記載のクリーニング取次自販機並びにクリーニング取次自販機を配置したクリーニング取次自販機店。
【請求項５】
自動洗濯機や自動乾燥機或いは地域特産品陳列機器などを並列に設置し、売り上げの相乗効果を目的とした請求項２並びに請求項３に記載のクリーニング取次自販機並びにクリーニング取次自販機を配置したクリーニング取次自販機店。
【請求項６】
故意による機器の破損や、売上金の盗難防止の為、防犯回転灯やサイレン或いは飛散性染料または噴射性塗料などの飛散拡散性目印装置を取り付けたクリーニング取次自販機並びにクリーニング取次自販機を配置したクリーニング取次自販機店。
【請求項７】
クリーニング以外に容易な染み抜きやボタンのほつれなど補修箇所を、受発注伝票により記載する事によりその補修仕上げをも可能とする請求項２並びに請求項３に記載のクリーニング取次自販機並びにクリーニング取次自販機を配置したクリーニング取次自販機店。
【請求項８】
運送や移転を容易にする為、ドアや壁面パネルや屋根などをパーツ化し、組み立て式とした請求項２並びに請求項３に記載のクリーニング取次自販機並びにクリーニング取次自販機を配置したクリーニング取次自販機店。
【発明の詳細な説明】
【技術分野】
【０００１】産業革命以来、世界は急スピードで機械化・電子化が進み今や世界が電話線もなしに会話も画像つきで可能となりまさに情報化時代が到来した。又人類の能力の一つである歩行という行為も過っては都会に比較し田舎いわゆる地方の人が圧倒的にその機会も多く歩行能力が優れていたが、フォードの発明以来、自動車の急速な普及により最近ではわが国自動車産業が一国のみならず世界の景気を左右する時代になってきた。そんな時代に未だに人力に頼っているのがクリーニング業界特に顧客との受発注を担当する取次ぎ業務である。本件はこれ等クリーニング業界における未だ合理化の手が及んでいない取次業務に関する省力問題である。
【背景技術】
【０００２】産業界においては、あらゆる産業が企業の発展と共に常に心がけてきたのが機械化、合理化、省力化でありこれ等を基本思想に産業は常に日進月歩を繰り返してきた。これら合理化の中でも最重要課題は人件費である。不景気になれば真っ先に人減らしが最も早道である為、雇用問題でも派遣労働という形態が急速に普及したのはよいが、最近の様に世界が同時不況に陥ると世界的に大量失業者が蔓延し、一気に消費が縮小し不景気に加速がついてしまう。しかし基本的には景気、不景気は字縄の如く必ず１０年或いは３０年といった人類の成長過程にあわせて繰り返すのは自然の摂理であろう。本件はこれ等大自然の流れのサイクルの中で人口統計が自然減少する傾向にあるわが国において、一部分で改革が遅れているクリーニング業界において、経費の主要な要素を占める人件費を節減するための合理化案であり、クリーニング業界の特に単純労務部分である取次店の作業工程を機械的に処理する技術を提供するものである。【０００３】わが国もいよいよ本格的な高齢者社会に突入したが、夫婦共稼ぎ家族の増加ともに、独身貴族の増加など、男女雇用機会均等法の制定以来、特に都会の女性などは収入も安定し、結婚適齢期になっても親の心配を他所に、まったくその気も無く家庭におけるクリーニングなども最新の電気洗濯機の改良でほとんど合理化、機械化されており、かって家庭の主婦がアイロンをかける姿には、平和な家庭のシンボルのようなイメージさえあったが、今や若い夫婦はアイロンが必要なものはほとんどクリーニング店に依頼する傾向が多くなった。本発明はこれらクリーニング業界に関し、日進月歩する世間の潮流にあわせた技術的に機械化した無人化の近代的経営手法の導入を提案するものである。【０００４】しかし先願特許を調査し見ても自販機（自動販売機）によるサービスとして特開２０００−３３１２３４等は各種飲食物を自販機でサービス提供する装置であり、又建造物の室内全体を各種の自販機で構成した特開１１−１７２９３８は、駅舎内での各種自販機サービスの配置例であり、その他の先願特許としては自販機の保守点検を合理化した特開２００１−１０１５０５などがあるがこれは自販機本体外装面を清潔に保つためのセルフクリーニング装置に関するものであり、本発明はこれ等の先願とは思想を根本的に異にするクリーニング業界の自動化、省力化に関するものである【０００５】
【特許文献１】特開２０００−３３１２３４各種飲食物を自販機でサービス提供する装置
【特許文献２】特開特開１１−１７２９３８駅社内での各種サービスの配置例
【特許文献３】特開２００１−１０１５０５自動販売機本体外装面を清潔に保つためのセルフクリーニング装置
【発明の開示】
【発明が解決しようとする課題】
【０００６】そこで本発明は今、企業を経営する際に最も経費のウエイトを占める要素の一つが人件費の問題で有り、特にクリーニング業界の場合、受発注業務いわゆるクリーニング製品の受け渡し業務のほとんどが対面折衝である。本件はこれ等の作業を全て機械的に合理化し、いたるところに無人化した２４時間受発注可能な無人営業所を設け業務の拡大を可能とする機器装置を提供するものである。
【課題を解決するための手段】
【０００７】近年わが国は人件費の高騰により大手のみならず中小企業までが軒並みこぞって中国進出したのは、安い人件費を求めての進出が最大要素である。その証しではないが中国の人件費が高騰した昨今ではその工場をベトナムやインドにシフトしている。問題の根本の第一要素は人件費である。そこで本発明はクリーニング業界においても同様、最も大きな経費要素の一つである取次店の人件費を全て完全自動化、ロボット化する技術を提供するものである。図面の図１に於いて、顧客はクリーニング依頼物１８を所定のクリーニング依頼物専用袋１０に封入若しくは指定の専用伝票やタグなどをクリーニング依頼物専用袋に添付若しくは封入して、クリーニング取次自販機１の投入口９に投入しておけば、その後一定の時間になるとクリーニング集配車が巡回回収し、クリーニング工場でクリーニング処理されたカッターシャツや衣類など、顧客のクリーニング依頼物１８が再びクリーニング取次自販機内に、個別に陳列若しくはセルに整理されており、顧客が投入時に指定された個別の番号の指示など、所定のルールに従って操作すると、クリーニング取次自販機内ではクリーニング処理された顧客のクリーニン依頼物が自動的に選別されクリーニング取次自販機の受け取り口１１に自動的に排出される無人化した自動クリーニング取次装置いわゆるクリーニング対象物の自動受発注装置を提供するものである。尚盗難やクリーニング依頼物の破損については支払い上限をあらかじめ設定した保険で処理すればよい。
【発明の効果】
【０００８】従来のクリーニング取次店のほとんどは、それぞれの取次店に人手を配置し顧客との受発注業務については全てそこの取次店の担当者、いわゆる人手を介しての受発注業務を行っているが、これ等の作業を一切人手を介せずに全ての受発注業務を完全無人化で行うことは結果として、業界の合理化に繋がり、家族経営的小規模事業者でも本装置の利用で業務拡張のチャンスが生まれ、且つ経営上最も経費の重要なファクターを占める人件費の合理化も可能となり、結果として取次店内における人手の常駐配置のための冷暖房費用などの節減はもとより、受発注の合理化によってクリーニング取次自販機配置先別による効率の、良し悪しの判別が素早く可能となり、設置先の移動など、ポイント選別が自在に可能となりロスの少ない経営の合理化に繋がる。又本装置をドア部分・壁面パネル・屋根部分・内部部品などに部品化し簡易組み立て式にする事により作業員一人でも設置や移動が可能とる。又ユーザー側においてもわざわざ遠路出向かなくても、近所にクリーニング取次自販機が各所に設置されればそれだけ生活の利便性が高まる。
【産業上の利用可能性】
【０００９】上述したように本発明によりクリーニング業界は、クリーニング取次所の人手の心配が無くなり、その分工場管理などエネルギーを他の分野にシフトすることが可能となる。又、外部に向かっては人件費を気にせず新興住宅でも交通渋滞する地域でも、或いは家賃の高い都会でも、どんどん拡張することが可能となることはもとより顧客サービスの徹底が図れ、人件費の節減はおろか人手の集まり難い業界にとっては省力化の面からも是非とも取り入れたい技術であると共に、生き残りの為にも競争力を持つ為にも必要なことである。設置先についてはコンビニやスーパーなどの駐車場の片隅への配置や、最近では米の精米機が各地に普及しているがその隣に本装置を隣接して設置すると相乗効果も期待される。
【図面の簡単な説明】
【００１０】
【図１】図１は本発明の装置全体正面図である。
【図２】図２は本発明の装置前面ドアの開放状態正面図である。
【図３】図３は本発明の装置全体側面断面図である。
【図４】図４は本発明のクリーニング依頼物全体正面図例である。
【符号の説明】
【００１１】  １  本装置全体正面図
２  本装置ＬＥＤ照明付き看板見出部
３  カッターシャツなど均一品陳列棚
４  衣類全体のハンガー吊り下げ状態正面ウインド
５  コインメック
６、コイン投入口
７、札投入口
８、つり銭口
９、クリーング依頼物投入口
１０、クリーング依頼物専用袋
１１、クリーニング処理物受け取り口
１２、アンカー用台座
１３、クリーニング種類別料金表
１４、ナンバー
１５、フック解除によりクリーニング処理物の排出状態
１６、太陽電池
１７、空気孔
１８、クリーニング依頼物
１９、しみ
２０、ほつれ
２１、ボタンのほつれ
【図１】
2010218520.tif 000003
【図２】
2010218520.tif 000004
【図３】
2010218520.tif 000005
【図４】
2010218520.tif 000006